(57)【要約】  ディスプレー・モニター及び医学的ユニットを含む医学的システム。医学的ユニットは、患者の生理的パラメータ測定するように適合されている。医学的ユニットはディスプレー・モニターと無線により接続するように適合されており、ディスプレー・モニターは生理的パラメータを表示するように適合されている。医学的システムの１つの実施において、医学的ユニットは、医学的ユニットがディスプレー・モニターの近傍に運ばれたときに、ディスプレー・モニターと自動的に無線により接続するように適合される。医学的システムの１つの説明において、生理的パラメータは患者の脈拍数である。
2011521683.tif 000002
【特許請求の範囲】
【請求項１】
医学的システムであって、
ａ）ディスプレー・モニターと、
ｂ）患者の第１の生理的パラメータを測定するように適合されており、かつ前記第１の生理的パラメータを表示するように適合されている前記ディスプレー・モニターと無線により接続するように適合される、第１の医学的ユニットと、を含む、医学的システム。
【請求項２】
前記第１の医学的ユニットが、前記第１の医学的ユニットが前記ディスプレー・モニターの近傍に運ばれたときに、前記ディスプレー・モニターと自動的に無線により接続するように適合されている、請求項１に記載の医学的システム。
【請求項３】
前記第１の医学的ユニットが、前記第１の生理的パラメータとは異なる前記患者の追加的な生理的パラメータを測定するように適合されており、前記ディスプレー・モニターが前記追加的な生理的パラメータを表示するように適合されている、請求項１に記載の医学的システム。
【請求項４】
前記第１の生理的パラメータが前記患者の脈拍数であり、前記追加的な生理的パラメータが前記患者のＳｐＯ２レベルである、請求項３に記載の医学的システム。
【請求項５】
前記第１の医学的ユニットが、前記第１の医学的ユニットが前記ディスプレー・モニターの近傍に運ばれたときに、前記ディスプレー・モニターと自動的に無線により接続するように適合されている、請求項４に記載の医学的システム。
【請求項６】
医学的システムであって、
ａ）ディスプレー・モニターと、
ｂ）患者の第１の生理的パラメータを測定するように適合されており、かつ前記第１の生理的パラメータを表示するように適合されている前記ディスプレー・モニターと無線により接続するように適合されている、第１の医学的ユニットと、
ｃ）前記第１の生理的パラメータとは異なる第２の生理的パラメータを測定するように適合されており、かつ前記第１の医学的ユニットと前記ディスプレー・モニターとの前記無線接続とは別に、前記第２の生理的パラメータを表示するように適合されている前記ディスプレー・モニターと無線により接続するように適合されている、第２の医学的ユニットと、を含む、医学的システム。
【請求項７】
前記第１の生理的パラメータが前記患者の脈拍数であり、前記第２の生理的パラメータが前記患者の収縮期血圧レベルである、請求項６に記載の医学的システム。
【請求項８】
前記第１の医学的ユニットが、前記第１の医学的ユニットが前記ディスプレー・モニターの近傍に運ばれたときに、前記ディスプレー・モニターと自動的に無線により接続するように適合されている、請求項７に記載の医学的システム。
【請求項９】
前記第２の医学的ユニットが、前記第２の医学的ユニットが前記ディスプレー・モニターの近傍に運ばれたときに、前記ディスプレー・モニターと自動的に無線により接続するように適合されている、請求項８に記載の医学的システム。
【請求項１０】
医学的システムであって、
ａ）ディスプレー・モニターと、
ｂ）患者の第１の生理的パラメータを測定し、第１の薬剤を前記患者に送達するように適合されており、かつ前記第１の生理的パラメータ及び前記第１の薬剤の流速を表示するように適合されている前記ディスプレー・モニターと無線により接続するように適合されている、第１の医学的ユニットと、を含む、医学的システム。
【請求項１１】
前記第１の医学的ユニットと前記ディスプレー・モニターとの前記無線接続が双方向接続であり、前記ディスプレー・モニターが前記第１の薬剤の流速を変更するためのユーザー・インターフェースを含む、請求項１０に記載の医学的システム。
【請求項１２】
前記送達される薬剤が鎮静薬である、請求項１１に記載の医学的システム。
【請求項１３】
前記第１の生理的パラメータが前記患者の脈拍数である、請求項１２に記載の医学的システム。
【請求項１４】
前記第１の医学的ユニットが、前記第１の医学的ユニットが前記ディスプレー・モニターの近傍に運ばれたときに、前記ディスプレー・モニターと自動的に無線により接続するように適合されている、請求項１３に記載の医学的システム。
【請求項１５】
医学的システムであって、
ａ）ディスプレー・モニターと、
ｂ）患者の第１の生理的パラメータを測定するように適合されており、かつ前記第１の生理的パラメータを表示するように適合されている前記ディスプレー・モニターと無線により接続するように適合されている、第１の医学的ユニットと、
ｃ）前記患者に第２の薬剤を送達するように適合されており、かつ前記第１の医学的ユニットと前記ディスプレー・モニターとの前記無線接続とは別に、前記第２の薬剤の流速を表示するように適合されている前記ディスプレー・モニターと無線により接続するように適合されている、第２の医学的ユニットと、を含む、医学的システム。
【請求項１６】
前記第２の医学的ユニットと前記ディスプレー・モニターとの前記無線接続が双方向接続であり、前記ディスプレー・モニターが前記第２の薬剤の流速を変更するためのユーザー・インターフェースを含む、請求項１５に記載の医学的システム。
【請求項１７】
前記送達される薬剤が鎮静薬である、請求項１６に記載の医学的システム。
【請求項１８】
前記第１の生理的パラメータが前記患者の脈拍数である、請求項１７に記載の医学的システム。
【請求項１９】
前記第１の医学的ユニットが、前記第１の医学的ユニットが前記ディスプレー・モニターの近傍に運ばれたときに、前記ディスプレー・モニターと自動的に無線により接続するように適合されている、請求項１８に記載の医学的システム。
【請求項２０】
前記第２の医学的ユニットが、前記第２の医学的ユニットが前記ディスプレー・モニターの近傍に運ばれたときに、前記ディスプレー・モニターと自動的に無線により接続するように適合されている、請求項１９に記載の医学的システム。
【発明の詳細な説明】
【技術分野】
【０００１】
本発明は一般的に医学的技術に関し、より具体的には患者の生理的パラメータを測定するために適合される、医学的ユニット及びディスプレー・モニターを有する医学的システムに関する。
【背景技術】
【０００２】
周知の医学的システムは、患者の生理的パラメータを測定する医学的ユニットを有するものを含む。かかる医学的システムの１つの周知例は、測温モジュール及び内蔵式のＬＣＤ（液晶表示）ディスプレー・モニターを有する医学的ユニットである薬局のデジタル体温計であり、この測温モジュールは導電体によりディスプレー・モニターに接続され、ディスプレー・モニターは測温モジュールにより計算された体温の読み取りを表示する。
【０００３】
かかる医学的システムの別の周知例は、患者の脈拍数及びＳｐＯ２（末梢の酸素飽和度）レベルを測定するパルス酸素濃度計、及び患者の収縮期血圧レベル及び拡張期血圧レベルを測定する血圧モジュールを含む臨床モニター装置を有する事前に設定された意識下鎮静システムである。この臨床モニター装置は患者とともに準備室から手術室まで移動する。次いで、この臨床モニター装置はケーブルにより、配線されたディスプレー・モニターを有する手術室の装置と接続され、臨床モニター装置により測定された脈拍数、ＳｐＯ２呼吸数、収縮期血圧レベル、及び拡張期血圧レベル（及び他の事前に設定された患者の生理的パラメータ）がディスプレー・モニターに表示される。手術室の装置は患者に鎮静薬を静脈内投与により一定の流速で送達し、ディスプレー・モニターは送達される鎮静薬の流速を表示する。
【０００４】
科学者たち及び技術者たちは、患者の生理的パラメータを測定するように適合された医学的ユニット及びディスプレー・モニターを有する改善された医学的システムを未だに探求し続けている。
【発明の概要】
【課題を解決するための手段】
【０００５】
本発明の実施形態の第１の発現は、ディスプレー・モニター及び第１の医学的ユニットを含む医学的システムのためのものである。この第１の医学的ユニットは患者の第１の生理的パラメータを測定するように適合されている。第１の医学的ユニットはディスプレー・モニターと無線により接続するように適合されており、このディスプレー・モニターは第１の生理的パラメータを表示するように適合されている。
【０００６】
本発明の実施形態の第２の発現は、ディスプレー・モニター、第１の医学的ユニット、及び第２の医学的ユニットを含む医学的システムのためのものである。この第１の医学的ユニットは患者の第１の生理的パラメータを測定するように適合されており、かつ第１の医学的ユニットとディスプレー・モニターとの無線接続とは別に、ディスプレー・モニターと無線により接続するように適合されており、このディスプレー・モニターは第１の生理的パラメータを表示するように適合されている。第２の医学的ユニットは第１の生理的パラメータとは異なる患者の第２の生理的パラメータを測定するように適合されており、かつディスプレー・モニターと無線により接続するように適合されており、このディスプレー・モニターは第２の生理的パラメータを表示するように適合されている。
【０００７】
本発明の実施形態の第３の発現は、ディスプレー・モニター及び第１の医学的ユニットを含む医学的システムのためのものである。この第１の医学的ユニット患者の第１の生理的パラメータを測定し、かつ第１の薬剤を患者に送達するように適合されている。第１の医学的ユニットはディスプレー・モニターと無線により接続するように適合されており、このディスプレー・モニターは第１の生理的パラメータ及び第１の薬剤の流速を表示するように適合されている。
【０００８】
本発明の実施形態の第４の発現は、ディスプレー・モニター、第１の医学的ユニット、及び第２の医学的ユニットを含む医学的システムのためのものである。この第１の医学的ユニットは患者の第１の生理的パラメータを測定するように適合されており、かつディスプレー・モニターと無線により接続するように適合されており、このディスプレー・モニターは第１の生理的パラメータを表示するように適合されている。この第２の医学的ユニットは第２の薬剤を患者に送達するように適合されており、かつ第１の医学的ユニットとディスプレー・モニターとの無線接続とは別に、ディスプレー・モニターと無線により接続するように適合されており、このディスプレー・モニターは第２の薬剤の流速を表示するように適合されている。
【０００９】
本発明の実施形態の１つ以上の発現から、いくつかの利益及び有利性が得られる。１つの実施例では、無線接続は医学的処置の間のケーブル数を減少させる。同一又は異なる実施例では、それぞれの医学的ユニットは、ディスプレー・モニターの近傍に運ばれたときに、ディスプレー・モニターと自動的に無線により接続するように適合されており、これにより患者に医学的処置を施すために手術室が占用される時間が削減される。
【図面の簡単な説明】
【００１０】
【図１】本発明の医学的システムの実施形態の構成図であって、２つの医学的ユニットが動作可能に患者に接続され、点線の矢印が２つの医学的ユニットとディスプレー・モニターとの無線接続を表す図。
【図２】図１の医学的システムのディスプレー・モニターの構成図であって、ディスプレー・モニターが医学的情報を表示している図。
【発明を実施するための形態】
【００１１】
本発明の実施形態の発現を詳細に説明する前に、添付された図面及び記載に示される構築、部品の配列、指示、工程の詳細によりそれぞれがその応用又は使用において制限されるものではないことに注意されたい。説明に役立つ本発明の実施形態は、他の実施形態、変法、及び修正法において実行されるか、又はそれらに組み込まれることができ、並びにさまざまな方式で実践されるか、又は遂行されることができる。更に、他に指示がない限り、本明細書において用いられる専門用語は、読者の便宜のために、本発明の実施形態の説明に役立つ表現を記載する目的で選ばれており、発明を制限する目的では用いられていない。
【００１２】
任意の１つ以上の以下に記載される医学的システム、実施などの発現は、任意の１つ以上の以下に記載される他の医学的システム、実施などの発現と組み合わせ得ることを更に理解されたい。
【００１３】
本発明の１つの実施形態が図１に示される。図１の実施形態の第１の発現は、ディスプレー・モニター１２及び第１の医学的ユニット１４を含む医学的システム１０のためのものである。第１の医学的ユニット１４は、患者１６第１の生理的パラメータを測定するように適合されている。第１の医学的ユニット１４はディスプレー・モニター１２と無線により接続するように適合されており、ディスプレー・モニター１２は第１の生理的パラメータを表示するように適合されている。
【００１４】
患者の生理的パラメータの例としては、制限することなく、ＥＣＧ（心電図）データ、血圧データ、脈拍数データ、ＳｐＯ２（末梢の酸素飽和度）データなどが挙げられる。機器を備えた医学的環境における使用に適した無線接続（即ち、導電体なしでの接続）モジュールの例としては、制限することなく、Ｂｌｕｅｔｏｏｔｈ（登録商標）技術、ＩＲ（赤外線）、超音波、長距離ＲＦＩＤ（radio frequency identification：無線自動識別）などが挙げられる。
【００１５】
図１〜２の実施形態の第１の発現の１つの実施において、第１の医学的ユニット１４は、第１の医学的ユニット１４がディスプレー・モニター１２の近傍に運ばれたときに、ディスプレー・モニター１２と自動的に無線により接続するように適合されている。１つの実施例では、Ｂｌｕｅｔｏｏｔｈ（登録商標）技術が自動的無線接続に用いられる。異なる実施においては、図示されていないが、第１の医学的ユニットのユーザー・インターフェース及び／又はディスプレー・モニターのユーザー・インターフェースはユーザーが無線接続を行うことを可能にする。
【００１６】
図１〜２の実施形態の第１の発現の１つの利用可能性において、第１の医学的ユニット１４は、第１の生理的パラメータとは異なる患者１６の付加的な生理的パラメータ測定するように適合されており、ディスプレー・モニター１２は、その付加的な生理的パラメータを表示するように適合されている。１つの説明において、第１の生理的パラメータは患者１６の脈拍数であり、付加的な生理的パラメータは患者１６のＳｐＯ２レベルである。
【００１７】
図１〜２の実施形態の第１の発現の１つの構造においては、第１の医学的ユニット１４は導体２２によりパルス酸素濃度計モジュール２０に接続された無線接続モジュール１８を含み、パルス酸素濃度計モジュール２０はケーブル２６によりパルス酸素濃度計センサー２４に接続されている。パルス酸素濃度計センサー２４は患者１６上に配置可能であり、無線接続モジュール１８はディスプレー・モニター１２内の対応する無線接続モジュール２８と無線により接続されるように適合されており、かつディスプレー・モニター１２は、ディスプレー・モニター１２のスクリーン３０に第１の生理的パラメータを表示するように適合されている。１つの変法では、第１の医学的ユニット１４の無線接続モジュール１８は、ディスプレー・モニター１２の無線接続モジュール２８によってパルス酸素濃度計モジュールからの信号であると認識される識別部分を含み、並びにディスプレー・モニター１２の無線接続モジュール２８によってそれらであると認識可能な、脈拍数データ部分及びＳｐＯ２レベルデータ部分を含む無線信号又はそのセグメントを送信する。
【００１８】
図１〜２の実施形態の第２の発現は、ディスプレー・モニター１２、第１の医学的ユニット１４、及び第２の医学的ユニット３２を含む医学的システム１０のためのものである。第１の医学的ユニット１４は、患者１６の第１の生理的パラメータを測定するように適合されており、かつディスプレー・モニター１２と無線により接続するように適合されており、ディスプレー・モニター１２は第１の生理的パラメータを表示するように適合されている。第２の医学的ユニット３２は、第１の生理的パラメータとは異なる患者１６の第２の生理的パラメータを測定するように適合されており、かつ第１の医学的ユニット１４とディスプレー・モニター１２との無線接続とは別に、ディスプレー・モニター１２と無線により接続するように適合されており、ディスプレー・モニター１２は第２の生理的パラメータを表示するように適合されている。
【００１９】
図１〜２の実施形態の第２の発現の１つの利用可能性において、第１の生理的パラメータは患者１６の脈拍数であり、第２の生理的パラメータは患者１６収縮期血圧レベルである。１つの実施において、第１の医学的ユニット１４は、第１の医学的ユニット１４がディスプレー・モニター１２の近傍に運ばれたときに、ディスプレー・モニター１２と自動的に無線により接続するように適合されている。同一又は異なる実施において、第２の医学的ユニット３２は、第２の医学的ユニット３２がディスプレー・モニター１２の近傍に運ばれたときに、ディスプレー・モニター１２と自動的に無線により接続するように適合されている。
【００２０】
図１〜２の実施形態の第２の発現の１つの構造において、第２の医学的ユニット３２は、導体３８により血圧モジュール３６に接続された無線接続モジュール３４を含み、血圧モジュール３６は管４２により血圧測定バンド４０に接続される。血圧測定バンド４０は患者１６上に配置可能であり、無線接続モジュール３４はディスプレー・モニター１２内の対応する無線接続モジュール２８と無線により接続するように適合されており、かつディスプレー・モニター１２はディスプレー・モニター１２上のスクリーン３０に第２の生理的パラメータを表示するように適合されている。１つの変法では、第２の医学的ユニット３２の無線接続モジュール３４は、ディスプレー・モニター１２の無線接続モジュール２８によって血圧モジュール３６からの信号であると認識される識別部分を含み、並びにディスプレー・モニター１２の無線接続モジュール２８によってそれらであると認識可能な、収縮期血圧レベルデータ部分及び拡張期血圧レベルデータ部分を含む無線信号又はそのセグメントを送信する。
【００２１】
図１〜２の実施形態の第３の発現は、ディスプレー・モニター１２及び第１の医学的ユニット１４を含む医学的システム１０のためのものである。第１の医学的ユニット１４は、患者１６の第１の生理的パラメータ測定するように適合されており、かつ患者１６に第１の薬剤４４を送達するように適合されている。第１の医学的ユニット１４はディスプレー・モニター１２と無線により接続するように適合されており、ディスプレー・モニター１２は、第１の生理的パラメータ及び第１の薬剤４４の流速を表示するように適合されている。
【００２２】
図１〜２の実施形態の第３の発現の１つの実施において、第１の医学的ユニット１４とディスプレー・モニター１２との無線接続は双方向接続であり、ディスプレー・モニター１２は第１の薬剤４４の流速を変更するためのユーザー・インターフェース４６を含む。１つの説明において、第１の薬剤４４は鎮静薬（意識下鎮静薬に用いられるプロポフォールなど）である。同一又は異なる説明において、第１の生理的パラメータは患者１６の脈拍数である。１つの実施において、第１の医学的ユニット１４は、第１の医学的ユニット１４がディスプレー・モニター１２の近傍に運ばれたときに、ディスプレー・モニター１２と自動的に無線により接続するように適合されている。
【００２３】
図１〜２の実施形態の第３の発現の１つの構造において、第１の医学的ユニット１４は、第１の医学的ユニット１４の無線接続モジュール１８に配線５０により接続される第１のＩＶ（静脈内投与）ポンプ組み立て品４８を含み、この組み立て品はディスプレー・モニター１２のユーザー・インターフェース４６により制御可能であり、かつ第１の薬剤４４を第１のＩＶ管５２を経由して患者１６に送り込む。１つの変法では、第１の医学的ユニット１４の無線接続モジュール１８はディスプレー・モニター１２の無線接続モジュール２８によって第１のＩＶポンプ組み立て品４８からの信号であると認識される識別部分を含み、並びにディスプレー・モニター１２の無線接続モジュール２８によってそれであると認識可能な、流速データ部分を含む無線信号又はそのセグメントを送信する。異なる構造において、図示されていないが、加圧気体を用いる吸入薬剤送達が経口及び／又は経鼻カニューレを経由して用いられる。他の構造は熟達した技術者に委ねられる。
【００２４】
図１〜２の実施形態の第４の発現は、ディスプレー・モニター１２、第１の医学的ユニット１４、及び第２の医学的ユニット３２を含む医学的システム１０のためのものである。第１の医学的ユニット１４は、患者１６の第１の生理的パラメータを測定するように適合されており、かつディスプレー・モニター１２と無線により接続するように適合されており、ディスプレー・モニター１２は第１の生理的パラメータを表示するように適合されている。第２の医学的ユニット３２は患者１６に第２の薬剤５４を送達するように適合されており、かつ第１の医学的ユニット１４とディスプレー・モニター１２との無線接続とは別に、ディスプレー・モニター１２と無線により接続するように適合されており、ディスプレー・モニター１２は第２の薬剤５４の流速を表示するように適合されている。
【００２５】
図１〜２の実施形態の第４の発現の１つの実施において、第２の医学的ユニット３２とディスプレー・モニター１２との無線接続は双方向接続であり、ディスプレー・モニター１２は第２の薬剤５４の流速を変更するためのユーザー・インターフェース４６を含む。１つの説明において、第２の薬剤５４は鎮静薬である。同一又は異なる説明において、第１の生理的パラメータは患者１６の脈拍数である。１つの実施において、第１の医学的ユニット１４は、第１の医学的ユニット１４がディスプレー・モニター１２の近傍に運ばれたときに、ディスプレー・モニター１２と自動的に無線により接続するように適合されている。同一又は異なる実施において、第２の医学的ユニット３２は、第２の医学的ユニット３２がディスプレー・モニター１２の近傍に運ばれたときに、ディスプレー・モニター１２と自動的に無線により接続するように適合されている。
【００２６】
図１〜２の実施形態の第４の発現の１つの構造において、第２の医学的ユニット３２は、第２の医学的ユニット３２の無線接続モジュール３４に配線５０により接続される第２のＩＶ（静脈内投与）ポンプ組み立て品５６を含み、この組み立て品はディスプレー・モニター１２のユーザー・インターフェース４６により制御可能であり、かつ第２のＩＶチューブ５８を経由して第２の薬剤５４を患者１６に送り込む。１つの変法では、第２の医学的ユニット３２の無線接続モジュール３４はディスプレー・モニター１２の無線接続モジュール２８によって第２のＩＶポンプ組み立て品５６からの信号であると認識される識別部分を含み、並びにディスプレー・モニター１２の無線接続モジュール２８によってそれであると認識可能な、流速データ部分を含む無線信号又はそのセグメントを送信する。
【００２７】
図２は図１の実施形態の医学的システム１０のためのスクリーン表示の１つの説明を示す。この説明においては、医学的システム１０のディスプレー・モニター１２のスクリーン３０は：１分当たり７５拍の脈拍数の例として「脈拍＝７５」；８０％の末梢の酸素飽和度レベルの例として「ＳＰＯ２＝８０」；１８．７ｋＰａ（１４０ｍｍＨｇ）の収縮期血圧レベルの例として「ＳＹＳ  ＢＰ＝１４０」；０．０３ｃｃ／分の第１の薬剤４４の流速の例として「流速１＝０．０３」；及び０．０５ｃｃ／分の第２の薬剤５４の流速の例として「流速２＝０．０５」を表示している。
【００２８】
ディスプレー・モニター１２のユーザー・インターフェース４６の例は、制限することなく、タッチスクリーン、音声認識、及びキーパッドを含む。患者１６の他の生理的パラメータの例、及びそれらを測定するためのモジュールは、他の種類の薬剤及び他の種類のユーザー・インターフェースとともに、当業者に委ねられる。
【００２９】
本発明の実施形態の１つ以上の発現から、いくつかの利益及び有利性が得られる。１つの実施例では、無線接続は医学的処置の間のケーブル数を減少させる。同一又は異なる実施例では、それぞれの医学的ユニットは、ディスプレー・モニターの近傍に運ばれたときに、ディスプレー・モニターと自動的に無線により接続するように適合されており、これにより患者に医学的処置を施すために手術室が占用される時間が削減される。
【００３０】
本発明のいくつかの実施形態の発現、及び利用可能性、実施などにより本発明が説明されてきたが、かかる詳細により添付されている特許請求の範囲及び趣旨を制限することは出願人の意図ではない。本発明の範囲を逸脱することなく、当業者が多数の他の変更、変化、及び置換を想起するであろう。上述の記載は例として提供されており、添付された特許請求の範囲及び趣旨を逸脱することなく当業者は他の修正を想起し得ることを理解されたい。
【００３１】
〔実施の態様〕
（１）  医学的システムであって、
ａ）ディスプレー・モニターと、
ｂ）患者の第１の生理的パラメータを測定するように適合されており、かつ前記第１の生理的パラメータを表示するように適合されている前記ディスプレー・モニターと無線により接続するように適合される、第１の医学的ユニットと、を含む、医学的システム。
（２）  前記第１の医学的ユニットが、前記第１の医学的ユニットが前記ディスプレー・モニターの近傍に運ばれたときに、前記ディスプレー・モニターと自動的に無線により接続するように適合されている、実施態様１に記載の医学的システム。
（３）  前記第１の医学的ユニットが、前記第１の生理的パラメータとは異なる前記患者の追加的な生理的パラメータを測定するように適合されており、前記ディスプレー・モニターが前記追加的な生理的パラメータを表示するように適合されている、実施態様１に記載の医学的システム。
（４）  前記第１の生理的パラメータが前記患者の脈拍数であり、前記追加的な生理的パラメータが前記患者のＳｐＯ２レベルである、実施態様３に記載の医学的システム。
（５）  前記第１の医学的ユニットが、前記第１の医学的ユニットが前記ディスプレー・モニターの近傍に運ばれたときに、前記ディスプレー・モニターと自動的に無線により接続するように適合されている、実施態様４に記載の医学的システム。
（６）  医学的システムであって、
ａ）ディスプレー・モニターと、
ｂ）患者の第１の生理的パラメータを測定するように適合されており、かつ前記第１の生理的パラメータを表示するように適合されている前記ディスプレー・モニターと無線により接続するように適合されている、第１の医学的ユニットと、
ｃ）前記第１の生理的パラメータとは異なる第２の生理的パラメータを測定するように適合されており、かつ前記第１の医学的ユニットと前記ディスプレー・モニターとの前記無線接続とは別に、前記第２の生理的パラメータを表示するように適合されている前記ディスプレー・モニターと無線により接続するように適合されている、第２の医学的ユニットと、を含む、医学的システム。
（７）  前記第１の生理的パラメータが前記患者の脈拍数であり、前記第２の生理的パラメータが前記患者の収縮期血圧レベルである、実施態様６に記載の医学的システム。
（８）  前記第１の医学的ユニットが、前記第１の医学的ユニットが前記ディスプレー・モニターの近傍に運ばれたときに、前記ディスプレー・モニターと自動的に無線により接続するように適合されている、実施態様７に記載の医学的システム。
（９）  前記第２の医学的ユニットが、前記第２の医学的ユニットが前記ディスプレー・モニターの近傍に運ばれたときに、前記ディスプレー・モニターと自動的に無線により接続するように適合されている、実施態様８に記載の医学的システム。
（１０）  医学的システムであって、
ａ）ディスプレー・モニターと、
ｂ）患者の第１の生理的パラメータを測定し、第１の薬剤を前記患者に送達するように適合されており、かつ前記第１の生理的パラメータ及び前記第１の薬剤の流速を表示するように適合されている前記ディスプレー・モニターと無線により接続するように適合されている、第１の医学的ユニットと、を含む、医学的システム。
【００３２】
（１１）  前記第１の医学的ユニットと前記ディスプレー・モニターとの前記無線接続が双方向接続であり、前記ディスプレー・モニターが前記第１の薬剤の流速を変更するためのユーザー・インターフェースを含む、実施態様１０に記載の医学的システム。
（１２）  前記送達される薬剤が鎮静薬である、実施態様１１に記載の医学的システム。
（１３）  前記第１の生理的パラメータが前記患者の脈拍数である、実施態様１２に記載の医学的システム。
（１４）  前記第１の医学的ユニットが、前記第１の医学的ユニットが前記ディスプレー・モニターの近傍に運ばれたときに、前記ディスプレー・モニターと自動的に無線により接続するように適合されている、実施態様１３に記載の医学的システム。
（１５）  医学的システムであって、
ａ）ディスプレー・モニターと、
ｂ）患者の第１の生理的パラメータを測定するように適合されており、かつ前記第１の生理的パラメータを表示するように適合されている前記ディスプレー・モニターと無線により接続するように適合されている、第１の医学的ユニットと、
ｃ）前記患者に第２の薬剤を送達するように適合されており、かつ前記第１の医学的ユニットと前記ディスプレー・モニターとの前記無線接続とは別に、前記第２の薬剤の流速を表示するように適合されている前記ディスプレー・モニターと無線により接続するように適合されている、第２の医学的ユニットと、を含む、医学的システム。
（１６）  前記第２の医学的ユニットと前記ディスプレー・モニターとの前記無線接続が双方向接続であり、前記ディスプレー・モニターが前記第２の薬剤の流速を変更するためのユーザー・インターフェースを含む、実施態様１５に記載の医学的システム。
（１７）  前記送達される薬剤が鎮静薬である、実施態様１６に記載の医学的システム。
（１８）  前記第１の生理的パラメータが前記患者の脈拍数である、実施態様１７に記載の医学的システム。
（１９）  前記第１の医学的ユニットが、前記第１の医学的ユニットが前記ディスプレー・モニターの近傍に運ばれたときに、前記ディスプレー・モニターと自動的に無線により接続するように適合されている、実施態様１８に記載の医学的システム。
（２０）  前記第２の医学的ユニットが、前記第２の医学的ユニットが前記ディスプレー・モニターの近傍に運ばれたときに、前記ディスプレー・モニターと自動的に無線により接続するように適合されている、実施態様１９に記載の医学的システム。
【図１】
2011521683.tif 000003
【図２】
2011521683.tif 000004
【国際調査報告】
2011521683.tif 000005
2011521683.tif 000006
2011521683.tif 000007